(57)【要約】【課題】誰でも容易に天井面の目地を補修することができる、目地補修装置を提供する。【解決手段】上面を開口した箱状の本体ケース１と、本体ケース１の開口の中央に設けた中央ローラー２と、を有し、中央ローラー２はローラー軸２１と、ローラー軸２１の中央に固定する円盤状のローラー部２２と、からなり、中央ローラー２のローラー軸２１は本体ケース１の幅方向に渡設し、中央ローラー２のローラー部２２は、本体ケース１の幅方向中央に位置し、中央ローラー２は、ローラー部２２の上部が本体ケース１の開口から突出する、目地補修装置。【選択図】図１
2020094357.tif 000002
【特許請求の範囲】
【請求項１】
上面を開口した箱状の本体ケースと、
前記本体ケースの開口の中央に設けた中央ローラーと、を有し、
前記本体ケースは、液体の塗料を収容でき、
前記中央ローラーはローラー軸と、前記ローラー軸の中央に固定する円盤状のローラー部と、からなり、
前記中央ローラーの前記ローラー軸は前記本体ケースの幅方向に渡設し、
前記中央ローラーの前記ローラー部は、前記本体ケースの幅方向中央に位置し、
前記中央ローラーは、前記ローラー部の上部が前記本体ケースの前記開口から突出する、
目地補修装置。
【請求項２】
請求項１に記載の目地補修装置において、
前記本体ケースの側部の四隅に設けたキャスターを有することを特徴とする、
目地補修装置。
【請求項３】
請求項２に記載の目地補修装置において、
前記キャスターはサスペンションユニットを介して前記本体ケースに取り付け、
前記キャスターは前記サスペンションユニットにより、前記本体ケースに対して上下方向に移動可能であることを特徴とする、
目地補修装置。
【請求項４】
請求項１乃至３のいずれか一項に記載の目地補修装置において、
前記本体ケースに取り付けた視準器を有し、
前記視準器は、前記本体ケースの幅方向の中央を表す視準を有することを特徴とする、
目地補修装置。
【請求項５】
請求項１乃至４のいずれか一項に記載の目地補修装置において、
前記本体ケースに取り付けた篦を有し、
前記篦は、可撓性を有する平板状の部材であり、
前記篦の上端は水平とし、前記ローラー部の上端の高さよりも上方に位置することを特徴とする、目地補修装置。
【請求項６】
目地補修装置を用いた、天井面の目地補修方法であって、
前記目地補修装置は、上面を開口した箱状の本体ケースと、前記本体ケースの開口の中央に設けた中央ローラーと、を有し、
前記中央ローラーは前記本体ケースに回動自在に取り付け、
前記本体ケースに液体の塗料を収容し、
前記本体ケースに取り付けた前記中央ローラーを、天井面の目地に沿って回転し、前記塗料を前記目地に塗布することを特徴とする、
目地補修方法。
【発明の詳細な説明】
【技術分野】
【０００１】
本発明は、天井材の目地を補修する際に用いる目地補修装置及び目地補修方法に関する。
【背景技術】
【０００２】
近年、オフィスビルの内装の天井材として、断熱性・不燃性に合わせて吸音性も有する岩綿吸音板が用いられる事が多くなっている。
岩綿吸音板は、野縁等の下地に固定した石膏ボードの表面に接着剤等により固定する。
【発明の概要】
【発明が解決しようとする課題】
【０００３】
岩綿吸音板は突き付け張りで目地が目立たないという特徴がある一方で、天井を仕上げた後に目地が目立つ場合には、一度固定した岩綿吸音板を剥がし、新たに岩綿吸音板を接着剤等により固定する再施工が必要となる。
岩綿吸音板を固定する作業は、脚立等を用いた高い位置での作業となるため、再施工はコストや工期の増大の他、事故の危険性もある。
また、目地の隙間をモルタル等により埋めるとしても、天井面への施工は困難であり、岩綿吸音板表面の模様が消えてしまうおそれもある。また天井面への施工は高い位置での作業となり、事故の危険性がある。
【０００４】
本発明は、誰でも容易に天井面の目地を補修することができる、目地補修装置及び目地補修方法を提供することを目的とする。
【課題を解決するための手段】
【０００５】
上記目的を達成するためになされた本願の第１発明は、上面を開口した箱状の本体ケースと、前記本体ケースの開口の中央に設けた中央ローラーと、を有し、前記中央ローラーはローラー軸と、前記ローラー軸の中央に固定する円盤状のローラー部と、からなり、前記中央ローラーの前記ローラー軸は前記本体ケースの幅方向に渡設し、前記中央ローラーの前記ローラー部は、前記本体ケースの幅方向中央に位置し、前記中央ローラーは、前記ローラー部の上部が前記本体ケースの前記開口から突出する、目地補修装置を提供する。
本願の第２発明は、第１発明の目地補修装置において、前記本体ケースの側部の四隅に設けたキャスターを有することを特徴とする、目地補修装置を提供する。
本願の第３発明は、第２発明の目地補修装置において、前記キャスターはサスペンションユニットを介して前記本体ケースに取り付け、前記キャスターは前記サスペンションユニットにより、前記本体ケースに対して上下方向に移動可能であることを特徴とする、目地補修装置を提供する。
本願の第４発明は、第１乃至第３発明のいずれかの目地補修装置において、前記本体ケースに取り付けた視準器を有し、前記視準器は、前記本体ケースの幅方向の中央を表す視準を有することを特徴とする、目地補修装置を提供する。
本願の第５発明は、第１乃至第４発明のいずれかの目地補修装置において、前記本体ケースに取り付けた篦を有し、前記篦は、可撓性を有する平板状の部材であり、前記篦の上端は水平とし、前記ローラー部の上端の高さよりも上方に位置することを特徴とする、目地補修装置を提供する。
本願の第６発明は、目地補修装置を用いた、天井面の目地補修方法であって、前記目地補修装置は、上面を開口した箱状の本体ケースと、前記本体ケースの開口の中央に設けた中央ローラーと、を有し、前記中央ローラーは前記本体ケースに回動自在に取り付け、前記本体ケースに液体の塗料を収容し、前記本体ケースに取り付けた前記中央ローラーを、天井面の目地に沿って回転し、前記塗料を前記目地に塗布することを特徴とする、目地補修方法を提供する。
【発明の効果】
【０００６】
本発明は、上記した課題を解決するための手段により、次のような効果の少なくとも一つを得ることができる。
（１）本発明の目地補修装置を用いることにより、目立つ天井面の目地を補修することができ、岩綿吸音板を剥がして新たに岩綿吸音板を接着剤等により固定する再施工は不要であり、コストの増大や工期の延長がなく、作業中の事故の危険性もなくなる。
（２）目地補修装置を天井面に押し当てて動かすだけであり、誰でも容易に目地の補修作業を短時間に行うことができ、作業中の事故の危険性も少なくなる。
（３）塗料が塗布されるのは、天井面と接する中央ローラーのローラー部の円周方向の周縁のみであり、岩綿吸音板表面の模様が消えてしまうことがない。
（４）視準器の視準により中央ローラーを目地上に位置決めすることができる。
（５）視準器の視準線と目地を合わせた状態で動かすことにより、中央ローラーは目地に沿って動くこととなり、目地上に塗料が塗布される。
【図面の簡単な説明】
【０００７】
【図１】目地補修装置の斜視図
【図２】目地補修装置の平面図
【図３】キャスターとサスペンションユニットの断面図
【図４】キャスターの上下動の説明図
【図５】目地補修装置を天井面に押し当てた状態の説明図
【図６】目地補修装置の使用方法の説明図
【発明を実施するための形態】
【０００８】
以下、図面を参照しながら本発明の実施の形態について説明する。
【０００９】
［１］目地補修装置の構成
＜１＞全体構成
本発明の目地補修装置は、天井面の目地に沿って塗料を塗布し、目地を補修するための装置である。
目地補修装置は、平面視矩形の本体ケース１と、本体ケース１の中央に設けた中央ローラー２と、本体ケース１の四隅の側部に設けたキャスターケース３と、各キャスターケース３内に納めたキャスター４と、キャスターケース３とキャスター４との間に設けるサスペンションユニット５と、本体ケース１の一方の端辺に設ける視準器６と、本体ケース１の他方の端辺に設ける篦７と、からなる（図１、図２）。
【００１０】
＜２＞本体ケース
本体ケース１は、平面視矩形で、上面を開口した箱体である。
本体ケース１は、対向する２面の中央に、深さ方向にローラー溝１１を形成する。
本体ケース１は底部を密封し、液体の塗料を収容できるように形成する。
【００１１】
＜３＞中央ローラー
中央ローラー２は円柱状のローラー軸２１と、ローラー軸２１の中央に固定する円盤状のローラー部２２と、からなる。
ローラー軸２１は、本体ケース１の開口した上面から、両端を本体ケース１の対向する２面に設けたローラー溝１１に落とし込み、ローラー溝１１により中央ローラー２のローラー軸２１を受ける。
そして、ローラー軸２１にストッパー２３等を設けて軸方向に移動しないようにすることで、ローラー軸２１は本体ケース１の対向する２面間に渡設され、ローラー部２２が本体ケース１の幅方向の中央に位置する。
ローラー部２２は、円盤状であり、円周方向の周縁において、厚さ方向中央に向けて幅を狭くする。
ローラー部２２は、ローラー軸２１をローラー溝１１に落とし込んだ際にローラー部２２の上部が本体ケース１の開口面から突出し、かつ、ローラー軸２１を中心として回動可能な大きさとする。
中央ローラー２は、ローラー軸２１をローラー溝１１に落とし込むだけであり、本体ケース１に固定せず、着脱自在とする。
【００１２】
＜４＞キャスター
本体ケース１の四隅の側部には、上面を開口した箱状のキャスターケース３を設ける。
それぞれのキャスターケース３には、キャスター４を回動自在に収める。
キャスター４は円柱状の部材であり、円柱の中心軸に沿って上面と底面からキャスター軸４１を突設する。
キャスター軸４１にはサスペンションユニット５を取り付ける。
【００１３】
＜４．１＞キャスターの上下動
サスペンションユニット５はキャスター４から突出するキャスター軸４１に取り付ける。
サスペンションユニット５は、断面Ｕ字状の部材である（図３（ａ）、図３（ｂ））。
サスペンションユニット５は、Ｕ字の底部の横方向に軸穴５１を貫通して設け、軸穴５１にキャスター軸４１を挿通する。Ｕ字の開放部分はキャスターケース３及び本体ケース１に設けたストッパー溝３１に嵌合し、ストッパー溝３１内に収まるストッパー５２を形成する。
Ｕ字の内部にはバネ等の弾性体５３を収める。弾性体５３は一端をサスペンションユニット５に固定し、他端をキャスターケース３に固定する。
サスペンションユニット５は、弾性体５３の伸長力により、ストッパー５２がストッパー溝３１の上端に係止した状態で、キャスター４を保持する（図３（ａ））。
このとき、キャスター４が中央ローラー２よりも突出するように高さを調整する。
そして、キャスター４を押し下げると、押し下げる力により弾性体５３が収縮し、キャスター４及びサスペンションユニット５は、ストッパー５２がストッパー溝３１に収まる範囲内で本体ケース１に対して下方に動く（図３（ｂ））。このとき、キャスター４には弾性体により上方向の力が働く。
【００１４】
図４のように、本発明の目地補修装置のキャスター４を天井面８に押し当てると、キャスター４とサスペンションユニット５が押し下げられる。このときキャスター４は、サスペンションユニット５の弾性体５３により上方向に力が作用し、天井面８に押し付けられた状態となる。
そして、さらに目地補修装置を押し上げると、相対的に本体ケース１や中央ローラー２が天井面８に近づき、中央ローラー２が天井面８に接触する。
キャスター４は、本体ケース１の四隅に配置されており、かつ、サスペンションユニット５により天井面８に押し付けられているため、目地補修装置を天井面に押し当てても、中央ローラー２及び本体ケース１が揺れることなく安定する。
【００１５】
＜５＞視準器
視準器６は、本体ケース１の一方の端辺に設ける。
視準器６の中央には視準６１を設ける。
視準６１は、本体ケース１の幅方向の中央、すわなち、中央ローラー２のローラー部２２の幅方向の中央を表す。
視準器６は、視準６１が天井面８と平行となるように設けるが、本体ケース１に沿うように折り畳み可能に構成することにより、目地補修装置を持ち運ぶ際に視準器６が邪魔にならない。
【００１６】
＜６＞篦
篦７は、可撓性を有する平板状の透明又は半透明の部材であり、視準器６を設けた本体ケース１の端辺と逆の端辺に、着脱自在に設ける。
篦７の上端は水平とし、ローラー部２２の上端の高さよりも上方に位置する。
篦７は可撓性を有しており、図４のように、本発明の目地補修装置を天井面８に押し当ててキャスター４とサスペンションユニット５が押し下げられると、篦７は撓み、天井面８に当接した状態となる。
【００１７】
＜７＞目地の補修
目地補修装置を天井面８に押し当てて、中央ローラー２を天井面８に接触させる。このとき、中央ローラー２は本体ケース１と天井面８との間に入るため目視できないが、本体ケース１の前後に設けた、視準器６の視準６１を補修予定の目地８１に合わせることで、同一平面状にある中央ローラー２の外周面が目地８１と一致する（図５）。
目地補修装置の本体ケース１の内部には塗料９を入れておく（図６）。
中央ローラー２は本体ケース１から取り外すことができ、取り外すことにより塗料９を本体ケース１に入れやすくなる。
そして、目地補修装置を、天井面８に押し当てた状態で天井面に８沿って視準器６の方向に動かすと、本体ケース１に取り付けた中央ローラー２は天井面８との摩擦により回転し、本体ケース１内部の塗料９が中央ローラー２の外周面に付着し、付着した塗料９１が中央ローラー２に沿って持ち上げられ、天井面８に塗布される（図６）。
中央ローラー２は外周面が目地８１と一致する位置に位置決めされるため、目地補修装置を天井面８に沿って動かす際に、視準器６の視準６１と目地８１を合わせた状態で動かすことにより、中央ローラー２は目地８１に沿って動くこととなり、目地８１上に塗料が塗布される。
本発明の目地補修装置を用いることにより、目立つ天井面８の目地を補修することができ、岩綿吸音板を剥がして新たに岩綿吸音板を接着剤等により固定する再施工は不要であり、コストの増大や工期の延長がなく、作業中の事故の危険性もなくなる。
また、目地補修装置を天井面８に押し当てて動かすだけであり、誰でも容易に目地８１の補修作業を短時間に行うことができ、作業中の事故の危険性も少なくなる。
そして、塗料９が塗布されるのは、天井面８と接する中央ローラー２のローラー部２２の円周方向の周縁のみであり、岩綿吸音板表面の模様が消えてしまうことがない。
さらに、目地補修装置の視準器６と逆側には、可撓性を有する篦７が設けられている。篦７は天井面８に当接しており、目地８１上に塗布された塗料９１は、篦７によって目地８１の隙間に押し入れられ、かつ、目地の外側の塗料が均されることで、天井面の仕上がりは平坦となる。
篦７は本体ケース１から取り外すことができるため、塗布した塗料９１に塗りむらがある場合には、篦７を本体ケース１から取り外し、手作業により塗りむらを微調整できる。
また、中央ローラー１と篦７は本体ケース１から取り外すことができるため、塗料９等によって汚れた場合に、取り外して容易に洗浄することができる。
【符号の説明】
【００１８】
１…本体ケース、１１…ローラー溝
２…中央ローラー、２１…ローラー軸、２２…ローラー部、２３…ストッパー
３…キャスターケース、３１…ストッパー溝
４…キャスター、４１…キャスター軸
５…サスペンションユニット、５１…軸穴、５２…ストッパー、５３…弾性体
６…視準器、６１…視準
７…篦
８…天井面、８１…目地
９、９１…塗料
【図１】
2020094357.tif 000003
【図２】
2020094357.tif 000004
【図３】
2020094357.tif 000005
【図４】
2020094357.tif 000006
【図５】
2020094357.tif 000007
【図６】
2020094357.tif 000008
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
上面を開口した箱状の本体ケースと、
前記本体ケースの開口の中央に設けた中央ローラーと、を有し、
前記本体ケースは、液体の塗料を収容可能であり、
前記中央ローラーはローラー軸と、前記ローラー軸の中央に固定する円盤状のローラー部と、からなり、
前記中央ローラーの前記ローラー軸は前記本体ケースの幅方向に渡設し、
前記中央ローラーの前記ローラー部は、前記本体ケースの幅方向中央に位置し、
前記中央ローラーは、前記ローラー部の上部が前記本体ケースの前記開口から突出し、かつ、前記ローラー軸を中心として回動し、
前記中央ローラーを回転することにより、前記ローラー部によって前記本体ケースに収容した前記塗料を持ち上げることができる、
目地補修装置。
【請求項２】
請求項１に記載の目地補修装置において、
前記本体ケースの側部の四隅に設けたキャスターを有することを特徴とする、
目地補修装置。
【請求項３】
請求項２に記載の目地補修装置において、
前記キャスターはサスペンションユニットを介して前記本体ケースに取り付け、
前記キャスターは前記サスペンションユニットにより、前記本体ケースに対して上下方向に移動可能であることを特徴とする、
目地補修装置。
【請求項４】
請求項１乃至３のいずれか一項に記載の目地補修装置において、
前記本体ケースに取り付けた視準器を有し、
前記視準器は、前記本体ケースの幅方向の中央を表す視準を有することを特徴とする、
目地補修装置。
【請求項５】
請求項１乃至４のいずれか一項に記載の目地補修装置において、
前記本体ケースに取り付けた篦を有し、
前記篦は、可撓性を有する平板状の部材であり、
前記篦の上端は水平とし、前記ローラー部の上端の高さよりも上方に位置することを特徴とする、目地補修装置。
【請求項６】
目地補修装置を用いた、天井面の目地補修方法であって、
前記目地補修装置は、上面を開口した箱状の本体ケースと、前記本体ケースの開口の中央に設けた中央ローラーと、を有し、
前記中央ローラーは前記本体ケースに回動自在に取り付け、
前記本体ケースに液体の塗料を収容し、前記中央ローラーの下部を前記塗料に浸漬し、
前記中央ローラーを、天井面の目地に沿って回転し、前記塗料を前記中央ローラーにより持ち上げて前記目地に塗布することを特徴とする、
目地補修方法。
【手続補正２】
【補正対象書類名】明細書
【補正対象項目名】０００５
【補正方法】変更
【補正の内容】
【０００５】
上記目的を達成するためになされた本願の第１発明は、上面を開口した箱状の本体ケースと、前記本体ケースの開口の中央に設けた中央ローラーと、を有し、前記中央ローラーはローラー軸と、前記ローラー軸の中央に固定する円盤状のローラー部と、からなり、前記中央ローラーの前記ローラー軸は前記本体ケースの幅方向に渡設し、前記中央ローラーの前記ローラー部は、前記本体ケースの幅方向中央に位置し、前記中央ローラーは、前記ローラー部の上部が前記本体ケースの前記開口から突出し、かつ、前記ローラー軸を中心として回動し、前記中央ローラーを回転することにより、前記ローラー部によって前記本体ケースに収容した前記塗料を持ち上げることができる、目地補修装置を提供する。
本願の第２発明は、第１発明の目地補修装置において、前記本体ケースの側部の四隅に設けたキャスターを有することを特徴とする、目地補修装置を提供する。
本願の第３発明は、第２発明の目地補修装置において、前記キャスターはサスペンションユニットを介して前記本体ケースに取り付け、前記キャスターは前記サスペンションユニットにより、前記本体ケースに対して上下方向に移動可能であることを特徴とする、目地補修装置を提供する。
本願の第４発明は、第１乃至第３発明のいずれかの目地補修装置において、前記本体ケースに取り付けた視準器を有し、前記視準器は、前記本体ケースの幅方向の中央を表す視準を有することを特徴とする、目地補修装置を提供する。
本願の第５発明は、第１乃至第４発明のいずれかの目地補修装置において、前記本体ケースに取り付けた篦を有し、前記篦は、可撓性を有する平板状の部材であり、前記篦の上端は水平とし、前記ローラー部の上端の高さよりも上方に位置することを特徴とする、目地補修装置を提供する。
本願の第６発明は、目地補修装置を用いた、天井面の目地補修方法であって、前記目地補修装置は、上面を開口した箱状の本体ケースと、前記本体ケースの開口の中央に設けた中央ローラーと、を有し、前記中央ローラーは前記本体ケースに回動自在に取り付け、前記本体ケースに液体の塗料を収容し、前記中央ローラーの下部を前記塗料に浸漬し、前記中央ローラーを、天井面の目地に沿って回転し、前記塗料を前記中央ローラーにより持ち上げて前記目地に塗布することを特徴とする、目地補修方法を提供する。